(57)【要約】  本発明は、制御温度で荷物を輸送するシステムを提供し、該システムは、少なくとも１つのドローン構造体（２００）を含み、ドローン構造体（２００）は、ドローン構造体（２００）を操作するために配置された少なくとも１つのモータ（２１０）と、電気エネルギーを送るために配置されたエネルギー利用装置と、制御装置とを含む。またドローン構造体（２００）は、少なくとも１つの層の断熱材からなる断熱箱体（１１０）を含む断熱容器（１００）と、断熱箱体（１１０）内部の温度Tintの値を計測するように構成された少なくとも１つの内部温度センサと、断熱箱体（１１０）外部の温度Textの値を計測するように構成された少なくとも１つの外部温度センサと、温度Tintの値を調整又は一定に保持するために配置されたサーマルユニットとを含む。制御装置は、ドローン構造体（２００）の着陸位置と、着陸位置に到達するための制限時間tmaxと、飛行業務中に保持する温度Tintの値に関する条件を含む、飛行業務の取得を実行するのに適する。また制御装置は、温度TintとTextの取得と、該エネルギー利用装置で利用可能なエネルギーEresの値の取得と、ドローン構造体（２００）を制限時間tmaxで着陸位置に着陸させるための該少なくとも１つのモータ（２１０）に与えるエネルギーEengの値の計算と、飛行業務中に保持する温度Tintの値に関する条件を順守するために、サーマルユニットに与えるエネルギーEtermの値の計算と、飛行業務を完了するために要する全エネルギーEmis＝Eeng＋Etermの値の計算と、エネルギーEresとEmisの値の比較を実行するのに適する。【選択図】図１
2020529949.tif 000002
【特許請求の範囲】
【請求項１】
制御温度で荷物を輸送するためのシステムであって、前記システムは、少なくとも１つのドローン構造体（２００）を含み、前記ドローン構造体（２００）は、
−  前記ドローン構造体（２００）を移動するために配置された少なくとも１つのモータ（２１０）と；
−  電気エネルギーを送るために配置されたエネルギー利用装置と；
−  断熱容器（１００）であって、
−  少なくとも１つの層の断熱材を含む断熱箱体（１１０）と；
−  前記断熱箱体（１１０）内部の温度Tintの値を計測するために構成された少なくとも１つの内部温度センサと；
−  前記断熱箱体（１１０）外部の温度Textの値を計測するために構成された少なくとも１つの外部温度センサと；
−  前記温度Tintの値を調整又は一定に保持するために配置されたサーマルユニットと；を含む：断熱容器（１００）とを含み、
前記システムは、
−  飛行業務の取得であって、
−  前記ドローン構造体（２００）の着陸位置と；
−  前記着陸位置に到達するための制限時間tmaxと；
−  前記飛行業務中に前記温度Tintの値を保持する条件と；を含む：飛行業務の取得と；
−  前記温度TintとTextの値の取得と；
−  前記エネルギー利用装置で利用可能なエネルギーEresの値の取得と；
−  前記ドローン構造体（２００）を前記制限時間tmaxで前記着陸位置に着陸させるための前記少なくとも１つのモータ（２１０）に与えるエネルギーEengの値の計算と；を実行する：のに適する制御装置を含み、
前記システムは、前記制御装置がまた、
−  前記飛行業務中に保持する前記温度Tintの値に関する前記条件を順守するために、前記サーマルユニットに与えるエネルギーEtermの値の計算と；
−  前記飛行業務を完了するために要する全エネルギーEmis＝Eeng＋Etermの値の計算と；
−  前記エネルギーEresとEmisの値の比較と；を実行する：のにも適していることにより特徴付けられ：
−  Eres≧Emisの場合、前記制御装置は、
−  前記少なくとも１つのモータ（２１０）に前記飛行業務を進めるよう指令し；
−  特に、警報灯及び／又は警報音及び／又は遠隔伝送により送られる十分なエネルギーの信号を送信し；
−  オペレータ及び／又は遠隔制御装置による指令を待機する；動作の少なくとも１つを実行し：
−  Eres＜Emisの場合、前記制御装置は、
−  所定のアルゴリズムにしたがって、前記飛行業務を変更し；
−  前記全エネルギーEmisの値を低減するための戦略と以下の前記エネルギーEresとEmisの値の新たな比較を実行し；
−  特に、警報灯及び／又は警報音及び／又は遠隔伝送により送られる不十分なエネルギーの信号を送信し；
−  前記業務を中止し；
−  オペレータ及び／又は遠隔制御装置による指令を待機する：動作の少なくとも１つを実行する：方法で、前記制御装置はプログラムされることにより特徴付けられる、制御温度で荷物を輸送するためのシステム。
【請求項２】
ドローン（２００）の少なくとも２つの構造体が与えられ、前記制御装置は、各ドローン構造体（２００）の前記エネルギー利用装置で利用可能なエネルギーEresの値の取得を実行するよう配置され、前記Emisの値で取得されるエネルギーEresの各値を比較し、前記Emisの値により近いエネルギーEresの値を有するドローン構造体（２００）を選択する、請求項１に記載のシステム。
【請求項３】
前記全エネルギーEmisの値の低減の前記戦略は、
−  前記断熱容器（１００）上に存在し、気流が前記断熱材の層に直接接することができるよう配置された少なくとも１つの注入口を開け；
−  飛行高度を変更し；
−  垂直飛行速度を変更し；
−  温度の所定値に関して、低温で気流を探す；ことを選択して、又は組み合わせて含む、請求項１に記載のシステム。
【請求項４】
前記断熱箱体（１１０）は、内部を少なくとも２つの区画に分割して、前記サーマルユニットは、各前記区画内に独立して前記温度Tintの値を制御するのに適する、請求項１に記載のシステム。
【請求項５】
地理的位置特定システムは、前記断熱容器（１００）の位置を遠隔で提供するのに適するように与えられる、請求項１に記載のシステム。
【請求項６】
少なくとも１つのソーラーパネルは、前記エネルギー利用装置に電気エネルギーを供給するように配置されて与えられる、請求項１に記載のシステム。
【請求項７】
前記断熱容器（１００）は、前記ドローン構造体（２００）に取り外し可能な方法で封入される、請求項１に記載のシステム。
【請求項８】
前記エネルギー利用装置は、前記断熱容器（１００）に不可欠な補助エネルギー源を含む、請求項７に記載のシステム。
【請求項９】
前記断熱容器（１００）は、施錠及び解錠するための装置を含む、請求項１に記載のシステム。
【請求項１０】
制御温度で荷物を輸送するための断熱容器（１００）であって、前記断熱容器（１００）は、ドローン構造体（２００）に取り外し可能な方法で封入されるように配置され、前記ドローン構造体（２００）は、
−  前記ドローン構造体（２００）を移動するために配置された少なくとも１つのモータ（２１０）と；
−  電気エネルギーを送るために配置されたエネルギー利用装置と；を含み：
前記断熱容器（１００）は、
−  制御装置と；
−  少なくとも１つの層の断熱材を含む断熱箱体（１１０）と；
−  前記断熱箱体（１１０）内部の温度Tintの値を計測するために構成された少なくとも１つの内部温度センサと；
−  前記断熱箱体（１１０）外部の温度Textの値を計測するために構成された少なくとも１つの外部温度センサと；
−  前記温度Tintの値を調整又は一定に保持するために配置されたサーマルユニットと；を含み：
前記断熱容器（１００）は、前記制御装置が、
−  飛行業務の取得であって：
−  前記ドローン構造体（２００）の着陸位置と；
−  前記着陸位置に到達するための制限時間tmaxと；
−  前記飛行業務中に前記温度Tintの値を保持する条件と；を含む：飛行業務の取得と；
−  前記温度TintとTextの値の取得と；
−  前記エネルギー利用装置で利用可能なエネルギーEresの値の取得と；
−  前記ドローン構造体（２００）を前記制限時間tmaxで前記着陸位置に着陸させるための前記少なくとも１つのモータ（２１０）に与えるエネルギーEengの値の計算と；
−  前記飛行業務中に保持する前記温度Tintの値に関する前記条件を順守するために、前記サーマルユニットに与えるエネルギーEtermの値の計算と；
−  前記飛行業務を完了するために要する全エネルギーEmis＝Eeng＋Etermの値の計算と；
−  前記エネルギーEresとEmisの値の比較と；を実行する：のに適することにより特徴付けられる、制御温度で荷物を輸送するための断熱容器（１００）。
【発明の詳細な説明】
【技術分野】
【０００１】
本発明は、特定の温度条件下で保存を要する、有機材料等の特殊材料の輸送に関する。
【０００２】
特に本発明は、輸送中、上記記載の温度条件を保証可能なドローン構造体に関する。
【背景技術】
【０００３】
近年の技術改良の進歩に伴い、ドローン輸送による商品数が大幅に増加している。この傾向は、ドローンが、都市部及び都市外部の両域で、より高速で安価な輸送を実現し、人間のオペレータの搭乗が不要な事実による。特に、この種の輸送は、都市部の交通渋滞を回避し、運行地域が未舗装でも迅速に運用され、自然又は人工の遮蔽構造物の影響を受けず、建物に入る等が可能になる。
【０００４】
このため、ドローン輸送は現在、郵便部門での開発が著しく、一般的には、小型荷物の配送を目的とする開発も進んでいる。
【０００５】
したがって、ドローンにより、有機材料、又は一般的には、医療用素材を輸送する必要性が認知され始め、輸血等の緊急介入の有効性を増す目的で、輸送速度を利用することが可能である。
【０００６】
ルワンダで血液輸送システムを運用した米企業のＺｉｐｌｉｎｅ社、それ以外では、実験室試料を２つの病院間で輸送するシステムを試行するスイスポストによる２件の実施例がある。
【０００７】
しかし両件とも、輸送材料を特定の熱的条件に維持することが、主な技術的課題である。この課題は、断熱容器を使用し、平均飛行時間が短時間で済むことである程度は解決される。
【０００８】
しかしながら、商品により維持が必須な熱的条件は、関連規則が定める場合が多く、確実な方法で、かつ現在の断熱容器が保証する条件よりも高い信頼性での保証が欠かせない。さらに、外部温度により、荷物周囲の温度の降下速度が大きく変わりうるため、ドローンは、気候条件が全く異なっても動作可能が必須であることが多く、適切な温度を確実に維持することが一層困難になる。
【０００９】
さらに、この種の輸送の自立性は、運行中の電気エネルギー源の容量増加に加え、最適化と飛行中のエネルギー発電の技術向上の後押しにより増している。したがって、ドローンの飛行時間と距離が今後数年間で安定して増加するのは容易に予想され、荷物を厳密な熱的条件に維持する上記の課題が際立ってくる。
【００１０】
近隣ネットワーク内でドローンによる市販品輸送のための方法、装置及びシステムを開示する、ＵＳ２０１４１８０９１４Ａ１は、可能な解決策を記載する。該システムは、温度制御モジュールにより、荷物を所定温度又は湿度に保持して輸送することが可能である。さらに、開示ドローンは、ドローンが運行可能な最大距離又は到着に要する時間をユーザに示すことができる。
【００１１】
しかしながら、ＵＳ２０１４１８０９１４Ａ１開示の装置は、サーマルユニット、すなわち温度維持を理由に、消費関数等のパラメータを評価しない。これにより該システムは、ドローンが、血液又は臓器等のヒト有機材料輸送の場合等、確立した規定が求める熱的条件を確実に順守する上で、業務が完了可能かどうかを予測することはできない。
【発明の概要】
【００１２】
したがって、本発明の特徴は、外的気候条件に関わらず、輸送荷物を所定の温度値に確実に維持するためのドローン構造体を提供することである。
【００１３】
さらに本発明の特徴は、設定済みの業務パラメータを、遠隔で一定になるよう確実に監視できるようなドローン構造体を提供することである。
【００１４】
これら及びその他の目的は、制御温度で荷物を輸送するためのシステムにより達成され、該システムは、少なくとも１つのドローン構造体を含み、該ドローン構造体は、
−  ドローン構造体を移動するために配置された少なくとも１つのモータと；
−  電気エネルギーを送るために配置されたエネルギー利用装置と；
−  断熱容器であって、
−  少なくとも１つの層の断熱材を含む断熱箱体と；
−  断熱箱体内部の温度Ｔｉｎｔの値を計測するために構成された少なくとも１つの内部温度センサと；
−  断熱箱体外部の温度Ｔｅｘｔの値を計測するために構成された少なくとも１つの外部温度センサと；
−  内部温度Tintの値を調整又は一定に保持するために配置されたサーマルユニットと；を含む：断熱容器を含み、
該システムは、
−  飛行業務の取得であって、
−  ドローン構造体の着陸位置と；
−  着陸位置に到達するための制限時間tmaxと；
−  飛行業務中に温度Tintの値を保持する条件と；を含む：飛行業務の取得と；
−  温度TintとTextの値の取得と；
−  エネルギー利用装置で利用可能なエネルギーEresの値の取得と；
−  ドローン構造体を制限時間tmaxで着陸位置に着陸させるための該少なくとも１つのモータに与えるエネルギーEengの値の計算と；を実行するのに適する制御装置を含み、
その主な特徴は、制御装置が、
−  飛行業務中に保持する温度Tintの値に関する条件を順守するために、サーマルユニットに与えるエネルギーEtermの値の計算と；
−  飛行業務を完了するために要する全エネルギーEmis＝Eeng＋Etermの値の計算と；
−  エネルギーEresとEmisの値の比較と；を実行する：のに適しており、
−  Eres≧Emisの場合、制御装置は、
−  該少なくとも１つのモータに飛行業務を進めるよう指令し；
−  特に、警報灯及び／又は警報音及び／又は遠隔伝送により送られる十分なエネルギーの信号を送信し；
−  オペレータ及び／又は遠隔制御装置による指令を待機する；動作の少なくとも１つを実行し：
−  Eres＜Emisの場合、制御装置は、
−  所定のアルゴリズムにしたがって、飛行業務を変更し；
−  全エネルギーEmisの値を低減するための戦略と以下のエネルギーEresとEmisの値の新たな比較を実行し；
−  特に、警報灯及び／又は警報音及び／又は遠隔伝送により送られる不十分なエネルギーの信号を送信し；
−  業務を中止し；
−  オペレータ及び／又は遠隔制御装置による指令を待機する；動作の少なくとも１つを実行する：方法で、制御装置はプログラムされる。
【００１５】
このように、ドローン構造体は、先行技術とは反対に、荷物が維持される温度を監視し、可能なら修正もできる。さらに、ドローン構造体は、飛行中のエネルギーが、所望の熱的条件の維持を保証する程度に十分であり、これらの条件が満たされる場合のみ業務が実行可能かどうかを、リアルタイムで評価することができる。
【００１６】
このように、用途、業務の種類及び／又は輸送荷物の種類によって、制御装置に異なる程度の自主性を与えることで、問題を解決することも可能である。
【００１７】
特に、ドローンの少なくとも２つの構造体は、与えられ、制御装置は、Emisの値で取得されるエネルギーEresの各値を比較し、該Emisの値に最も近いエネルギーEresの値を有するドローン構造体を選択するための、各ドローン構造体のエネルギー利用装置で利用可能なエネルギーEresの値の取得を実行するのに適する。
【００１８】
利点として、全エネルギーEmisの値の低減の戦略は、
−  断熱容器上に存在し、気流が断熱材の層に直接接することができるよう配置された少なくとも１つの注入口を開け；
−  飛行高度を変更し；
−  垂直飛行速度を変更し；
−  温度の所定値に関して、低温で気流を探す：ことを選択して、又は組み合わせて含む。
【００１９】
利点として、断熱箱体は、内部を少なくとも２つの区画に分割して、サーマルユニットは、各区画内に独立して温度Tintの値を制御するのに適する。このように、荷物が断熱容器全体ではなく１区画のみを占める場合、荷物を所望の温度に保持するのに要するエネルギーEtermの値を低減することが可能である。
【００２０】
特に、地理的位置特定システムは、断熱容器の位置を遠隔で提供するために与えられる。
【００２１】
利点として、少なくとも１つのソーラーパネルは、エネルギー利用装置に電気エネルギーを供給するように配置されて与えられる。
【００２２】
特に、断熱容器は、ドローン構造体に取り外し可能な方法で封入される。このように、ドローン構造体から断熱容器を容易に取り外し、業務完了後により容易に輸送して、常に荷物を所望の温度に保持することが可能である。さらに、この側面により、異なる断熱容器を有するドローン構造体を再利用して、業務間の時間を低減することが可能である。
【００２３】
特に、エネルギー利用装置は、断熱容器に不可欠な補助エネルギー源を含む。これにより、ドローン構造体の残りの部分からそれを取り外した時でも、容器内の所望の温度をさらに維持しやすくする。
【００２４】
利点として、断熱容器は、開口部を施錠及び解錠するための装置を含む。これにより、例えば、未許可の人が荷物にアクセスできないようにする。
【００２５】
特に、システムは、地上局を含み、各ドローン構造体は、該地上局に無線接続され、ドローン構造体のすべての飛行条件に関するデータを定期的に送信する。より詳細には、データは、ドローンの位置、断熱容器と封入荷物の状態、ドローンセンサが検知する環境パラメータ、エネルギー源の状態等に関する送信データでありうる。この情報はリアルタイムで使用可能で、荷物輸送を監視し、可能であれば業務のパラメータを修正して、飛行業務の設定中に予期されない不具合が起こる場合でも、輸送の品質規格を保証する。
【００２６】
このように、血液輸送の場合等、システムは、輸送中やその前後において、血液そのものの品質に関する入手可能な情報を分析できる。情報は、速やかに、必要な、局所的又は遠隔で保管される特定の規定を含有する、データベースと比較し、特定の動作（例：機械的攪拌又は特定のアクチュエータの活性化）の活性化が可能になり、規定にしたがって満たされるパラメータに基づいて制御（センサ活性化、温度設定、情報送信の作動）を行う。
【００２７】
利点として、システムは、輸送貨物の重さを評価し、それを登録データと比較して、実際の情報の一貫性を実証し、情報も考慮してエネルギー計算を行う。
【００２８】
本発明の別の側面によれば、制御温度で荷物を輸送するための断熱容器は、請求項に記載され、該断熱容器は、ドローン構造体に取り外し可能な方法で封入されるように配置され、該ドローン構造体は、
−  ドローン構造体を移動するために配置された少なくとも１つのモータと；
−  電気エネルギーを送るために配置されたエネルギー利用装置と；を含み：
該断熱容器は、
−  制御装置と；
−  少なくとも１つの層の断熱材を含む断熱箱体と；
−  断熱箱体内部の温度Tintの値を計測するために構成された少なくとも１つの内部温度センサと；
−  断熱箱体外部の温度Textの値を計測するために構成された少なくとも１つの外部温度センサと；
−  温度Tintの値を調整又は一定に保持するために配置されたサーマルユニットと；を含み：
その主な特徴は、制御装置が、
−  飛行業務の取得であって、
−  ドローン構造体の着陸位置と；
−  着陸位置に到達するための制限時間tmaxと；
−  飛行業務中に温度Tintの値を保持する条件と；を含む：飛行業務の取得と；
−  温度TintとTextの値の取得と；
−  エネルギー利用装置で利用可能なエネルギーEresの値の取得と；
−  ドローン構造体を制限時間tmaxで着陸位置に着陸させるための少なくとも１つのモータに与えるエネルギーEengの値の計算と；
−  飛行業務中に保持する温度Tintの値に関する条件を順守するために、サーマルユニットに与えるエネルギーEtermの値の計算と；
−  飛行業務を完了するために要する全エネルギーEmis＝Eeng＋Etermの値の計算と；
−  エネルギーEresとEmisの値の比較と；を実行するのに適する。
【図面の簡単な説明】
【００２９】
本発明のさらなる特徴及び／又は利点は、添付図面を参照して、例示目的であって限定はしない、以下記載の例示的実施形態により明らかになるであろう：
【図１】−  図１は、本発明に係るドローン構造体の、可能な例示的実施形態の斜視図を示す；
【図２】−  図２は、本発明に係る断熱容器の、可能な例示的実施形態の斜視図を示す；
【図３】−  図３は、制御装置による処理情報の工程の論理図を示す。
【発明を実施するための形態】
【００３０】
図１と図２を参照して、ある例示的実施形態において、本発明に係るドローン構造体２００は、ドローン自体を移動するために配置された６つのモータ２１０と、電気エネルギーを供給するために配置されたエネルギー利用装置と、制御装置と、を含む。
【００３１】
さらに、ドローン構造体２００は、断熱材からなる断熱箱体１１０を有する断熱容器１００と、断熱箱体１１０内部で温度Tintの値を計測するように構成された少なくとも１つの内部温度センサと、断熱箱体１１０外部で温度Textの値を計測するように構成された少なくとも１つの外部温度センサとを含む。さらに、容器１００は、温度Tintの値を調整又は一定に保持するために配置されたサーマルユニットを含む。
【００３２】
図３を参照して、制御装置は、荷物を制御温度で輸送可能かを評価可能で、あるパラメータのリアルタイム値を考慮し、規定と飛行業務を確実に順守する。
【００３３】
特に、制御装置は、
−  ドローン２００の着陸位置と；
−  着陸位置に到達するための制限時間tmaxと；
−  飛行業務中に温度Tintの値を保持する条件と；を特定する：飛行業務を、入力値として受信し、この条件は、効力を有する規定等に基づいて与えられる。
【００３４】
飛行業務を考慮すると、制御装置は、ドローン２００を制限時間tmaxで着陸位置に着陸させるためのモータ２１０に与えるエネルギーEengを計算可能である。さらに、各温度センサによりTintとTextの値を取得して、制御装置は、サーマルユニットに与えるエネルギーEterm値を処理可能で、飛行業務中に保持する温度Tintの値に関する条件を順守する。このように、制御装置は、飛行業務を完了するのに要する全エネルギーの値を計算可能である：
Emis＝Eeng＋Eterm
【００３５】
制御装置は、エネルギー利用装置に存在する残余エネルギーEresの値を最終的に取得する。主電源の他、補助電源も容器１００に搭載して利用可能であれば、制御装置もまた、Eresの値を増加させる残余エネルギー値Eauxを取得する。
【００３６】
これまでの処理を鑑みて、制御装置は、業務が完了可能か否かを最終的に評価し、EresとEmisの値を比較する。
【００３７】
条件Eres≧Emisの場合、制御装置は、業務を自動的に継続し、２１０エンジンに対応する指令を発し、又は光伝送又は遠隔伝送等のいずれかにより、十分なエネルギーの信号を送信し、オペレータ又は他の制御装置からの指令を待機するようプログラム可能である。
【００３８】
それ以外の条件Eres＜Emisの場合、制御装置は、
−  所定のアルゴリズムにしたがって、飛行業務を変更し；
−  全エネルギーEmisの値を低減するための戦略、例えば、飛行高度を変更し、容器１００の気流の注入口を開け、ドローンの垂直速度を変更し、低温気流を探すこと等の実行と；
−  不十分なエネルギーの信号の送信とオペレータ又は別の制御装置による指令の待機と；
−  業務の中止と；を含む：様々な操作を実行するようプログラム可能である。
【００３９】
このように、制御装置は、血液、臓器又は特定の温度範囲内で保管が必須な実験室材料等の荷物の輸送規定を常に確実に順守する。
【００４０】
前述の通り、ある例示的な特定の実施形態の記載事項は、概念視点に係る本発明を十分に開示するため、現在の知見を適用することで、発明者以外も、様々な適用例において、調査をさらに行うことなく、また本発明から逸脱することなく、特定の例示的実施形態を修正及び／又は適応することが可能で、したがって、そのような適応や修正は、特定の実施形態と等価であると考える必要があると意図される。このため、本明細書記載の異なる機能を実現するための手段及び材料は、本発明の分野から逸脱することなく、異なる性質を有するものであろう。本明細書記載の言い回し又は専門用語は、記述目的であって、限定を目的とするものではないことを理解されたい。
【図１】
2020529949.tif 000003
【図２】
2020529949.tif 000004
【図３】
2020529949.tif 000005
【国際調査報告】
2020529949.tif 000006
2020529949.tif 000007